【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
マルチユーザワイヤレス通信における送信のレートを適合させる方法であって、
デバイスのシングルユーザ（ＳＵ）送信モードの変調およびコーディングスキーム（ＭＣＳ）を決定することと、
前記ＳＵ送信モードの前記ＭＣＳに少なくとも部分的に基づいて、前記デバイスのマルチユーザ複数入力複数出力（ＭＵ−ＭＩＭＯ）送信モードのＭＣＳを設定することと、
を備え、前記ＭＵ−ＭＩＭＯ送信モードの前記ＭＣＳは、前記ＳＵ送信モードの前記ＭＣＳより小さい、方法。
【請求項２】
前記ＭＵ−ＭＩＭＯ送信モードの前記ＭＣＳを設定することは、直近のチャネル状態情報（ＣＳＩ）の期間にさらに基づく、請求項１に記載の方法。
【請求項３】
前記ＭＵ−ＭＩＭＯ送信モードの前記ＭＣＳは、いくつかのステップによって前記ＳＵ送信モードの前記ＭＣＳからディクリメントされ、前記いくつかのステップは、前記直近のＣＳＩの前記期間に関連付けられた予め定められた時間窓に少なくとも部分的に基づく、請求項２に記載の方法。
【請求項４】
異なる予め定められた時間窓は、異なるユーザ数に関連付けられたＭＵ−ＭＩＭＯ送信モードに対して定義される、請求項３に記載の方法。
【請求項５】
前記ＳＵ送信モードの誤り率に少なくとも部分的に基づいて前記ＳＵ送信モードの前記ＭＣＳを更新することをさらに備える、請求項１に記載の方法。
【請求項６】
前記ＭＵ−ＭＩＭＯ送信モードの前記ＭＣＳを設定することは、前記ＳＵ送信モードと前記ＭＵ−ＭＩＭＯ送信モードとの間のレートマッピングに少なくとも部分的に基づく、請求項１に記載の方法。
【請求項７】
前記レートマッピングは、時間境界値を備えるレートマッピング関数に少なくとも部分的に基づき、前記方法は、
前記レートマッピング関数の前記時間境界値を調節することで前記レートマッピングを更新することをさらに備える、請求項６に記載の方法。
【請求項８】
チャネル状態に基づいて適合される時間間隔後、前記レートマッピングが更新されるべきであるか否かを判定することをさらに備える、請求項７に記載の方法。
【請求項９】
前記ＭＵ−ＭＩＭＯ送信モードの最大ＭＣＳは、前記ＭＵ−ＭＩＭＯ送信モードに関連付けられたユーザ数に少なくとも部分的に基づく、請求項１に記載の方法。
【請求項１０】
マルチユーザワイヤレス通信システムにおける送信のレートを適合させるためのコンピュータ実行可能な命令を記憶した非一時的なコンピュータ読取可能な媒体であって、前記命令は、プロセッサによって実行された場合、通信デバイスに対して、
前記デバイスのシングルユーザ（ＳＵ）送信モードの変調およびコーディングスキーム（ＭＣＳ）を決定することと、
前記ＳＵ送信モードの前記ＭＣＳに少なくとも部分的に基づいて、前記デバイスのマルチユーザ複数入力複数出力（ＭＵ−ＭＩＭＯ）送信モードのＭＣＳを設定することと、
を備える処理を実行させ、前記ＭＵ−ＭＩＭＯ送信モードの前記ＭＣＳは、前記ＳＵ送信モードの前記ＭＣＳより小さい、非一時的なコンピュータ読取可能な媒体。
【請求項１１】
前記ＭＵ−ＭＩＭＯ送信モードの前記ＭＣＳを設定することは、直近のチャネル状態情報（ＣＳＩ）の期間にさらに基づく、請求項１０に記載のコンピュータ読取可能な媒体。
【請求項１２】
前記ＭＵ−ＭＩＭＯ送信モードの前記ＭＣＳは、いくつかのステップによって前記ＳＵ送信モードの前記ＭＣＳからディクリメントされ、前記いくつかのステップは、前記直近のＣＳＩの前記期間に関連付けられた予め定められた時間窓に少なくとも部分的に基づく、請求項１１に記載のコンピュータ読取可能な媒体。
【請求項１３】
異なる予め定められた時間窓は、異なるユーザ数に関連付けられたＭＵ−ＭＩＭＯ送信モードに対して定義される、請求項１２に記載のコンピュータ読取可能な媒体。
【請求項１４】
前記通信デバイスによって実行される前記処理は、
前記ＳＵ送信モードの誤り率に少なくとも部分的に基づいて前記ＳＵ送信モードの前記ＭＣＳを更新することをさらに備える、請求項１０に記載のコンピュータ読取可能な媒体。
【請求項１５】
前記ＭＵ−ＭＩＭＯ送信モードの前記ＭＣＳを設定することは、前記ＳＵ送信モードと前記ＭＵ−ＭＩＭＯ送信モードとの間のレートマッピングに少なくとも部分的に基づく、請求項１０に記載のコンピュータ読取可能な媒体。
【請求項１６】
前記レートマッピングは、時間境界値を備えるレートマッピング関数に少なくとも部分的に基づき、前記通信デバイスによって実行される前記処理は、
前記レートマッピング関数の前記時間境界値を調節することで前記レートマッピングを更新することをさらに備える、請求項１５に記載のコンピュータ読取可能な媒体。
【請求項１７】
チャネル状態に基づいて適合される時間間隔後、前記レートマッピングが更新されるべきであるか否かを判定することをさらに備える、請求項１６に記載のコンピュータ読取可能な媒体。
【請求項１８】
前記ＭＵ−ＭＩＭＯ送信モードの最大ＭＣＳは、前記ＭＵ−ＭＩＭＯ送信モードに関連付けられたユーザ数に少なくとも部分的に基づく、請求項１０に記載のコンピュータ読取可能な媒体。
【請求項１９】
マルチユーザワイヤレス通信システムにおいてレート適合を提供するための通信デバイスであって、
前記デバイスのシングルユーザ（ＳＵ）送信モードの変調およびコーディングスキーム（ＭＣＳ）を決定し、
前記ＳＵ送信モードの前記ＭＣＳに少なくとも部分的に基づいて、前記デバイスのマルチユーザ複数入力複数出力（ＭＵ−ＭＩＭＯ）送信モードのＭＣＳを設定するためのレート制御ブロックを備え、前記ＭＵ−ＭＩＭＯ送信モードの前記ＭＣＳは、前記ＳＵモードの前記ＭＣＳより小さい、通信デバイス。
【請求項２０】
前記ＭＵ−ＭＩＭＯ送信モードの前記ＭＣＳを設定することは、直近のチャネル状態情報（ＣＳＩ）の期間にさらに基づく、請求項１９に記載の通信デバイス。
【請求項２１】
前記ＭＵ−ＭＩＭＯ送信モードの前記ＭＣＳを設定することは、前記ＳＵ送信モードと前記ＭＵ−ＭＩＭＯ送信モードとの間のレートマッピングに少なくとも部分的に基づく、請求項１９に記載の通信デバイス。
【請求項２２】
レート適合を含むマルチユーザワイヤレス通信システムであって、
複数の送信モードのために構成されたワイヤレス通信デバイスと、
前記デバイスのシングルユーザ（ＳＵ）送信モードの変調およびコーディングスキームを決定するための手段と、
前記ＳＵ送信モードの前記ＭＣＳに少なくとも部分的に基づいて、前記デバイスのマルチユーザ複数入力複数出力（ＭＵ−ＭＩＭＯ）送信モードのＭＣＳを設定するための手段と、
を備え、前記ＭＵ−ＭＩＭＯ送信モードの前記ＭＣＳは、前記ＳＵモードの前記ＭＣＳより小さい、ワイヤレス通信システム。
【請求項２３】
前記ＭＵ−ＭＩＭＯ送信モードの前記ＭＣＳを設定することは、直近のチャネル状態情報（ＣＳＩ）の期間にさらに基づく、請求項２２に記載のワイヤレス通信システム。
【請求項２４】
前記ＳＵ送信モードの誤り率に少なくとも部分的に基づいて前記ＳＵ送信モードの前記ＭＣＳを更新するための手段をさらに備える、請求項２２に記載のワイヤレス通信システム。
【請求項２５】
前記誤り率は、チャネル誤り率およびパケット誤り率から成るグループからのものである、請求項２４に記載のワイヤレス通信システム。
【請求項２６】
前記ＭＵ−ＭＩＭＯ送信モードの前記ＭＣＳを設定するための前記手段は、前記ＳＵ送信モードと前記ＭＵ−ＭＩＭＯ送信モードとの間のレートマッピングに少なくとも部分的にさらに基づく、請求項２２に記載のワイヤレス通信システム。
【請求項２７】
前記レートマッピングは、時間境界値を備えるレートマッピング関数に少なくとも部分的に基づき、前記ワイヤレス通信システムは、
前記レートマッピング関数の前記時間境界値を調節することで前記レートマッピングを更新するための手段をさらに備える、請求項２６に記載のワイヤレス通信システム。
【請求項２８】
前記レートマッピングを更新することは、予め定められた時間間隔で実行される、請求項２６に記載のワイヤレス通信システム。
【請求項２９】
前記レートマッピングを更新することは、チャネル状態に基づいて動的に適合される時間間隔で実行される、請求項２６に記載のワイヤレス通信システム。
【手続補正２】
【補正対象書類名】明細書
【補正対象項目名】００３８
【補正方法】変更
【補正の内容】
【００３８】
[0041]開示された実施形態の前述した記載は、当業者が、本発明の製造または使用を可能とするように提供される。これら実施形態に対する様々な変形例もまた、当業者には容易に明らかであって、本明細書で定義された一般的な原理は、本発明の主旨または範囲から逸脱することなく他の実施形態にも適用され得る。たとえば、データレートを選択することは、上記に詳細に記載されたが、この選択は、ＭＣＳ（変調およびコーディングスキーム）を選択することとしても特徴付けられ得る（表１参照）。このように、本発明は、本明細書で示された実施形態に限定されることは意図されておらず、本明細書に開示された原理および新規な特徴に一致した最も広い範囲に相当するものとされる。
以下に、出願当初の特許請求の範囲に記載された発明を付記する。
［Ｃ１］
複数の送信モードを用いて送信するように構成可能なマルチユーザワイヤレス通信システムにおける送信のレートを適合させる方法であって、
前記複数の送信モードからの第１の送信モードの変調およびコーディングスキーム（ＭＣＳ）を用いてマスタ送信レートを決定することと、
前記マスタ送信レートおよびレートマッピングを用いて、前記複数の送信モードから、各送信モードのＭＣＳを導出することと、
前記マスタ送信レートが更新されるべきであるか否かを判定することと、を備える方法。
［Ｃ２］
前記第１の送信モードは、シングルユーザビームフォーミング（ＳＵ−ＢＦ）送信モードであり、前記複数の送信モードは、マルチユーザ複数入力複数出力（ＭＵ−ＭＩＭＯ）を備える、Ｃ１に記載の方法。
［Ｃ３］
前記レートマッピングは関数であり、前記関数は、
【数２】
2016508305.tif 000001
であり、ここにおいてｍｏｄｅは送信モードであり、ｄは直近のチャネル状態情報（ＣＳＩ）の期間であり、Ｔ１〜Ｔ７は前記期間ｄの境界値であり、これらの値は、Ｔ１＝Ｔ２＝Ｔ４＝５ミリ秒、Ｔ３＝Ｔ６＝１５ミリ秒、およびＴ５＝Ｔ７＝１０ミリ秒である、Ｃ２に記載の方法。
［Ｃ４］
前記マスタ送信レートが更新されるべきであるか否かを判定することは、前記マスタ送信レートの誤り率を決定することを備える、Ｃ１に記載の方法。
［Ｃ５］
前記誤り率が、指定されたしきい値よりも高いのであれば、前記マスタ送信レートを下げることをさらに備える、Ｃ４に記載の方法。
［Ｃ６］
前記誤り率は、パケット誤り率およびチャネル誤り率の何れかである、Ｃ５に記載の方法。
［Ｃ７］
前記レートマッピングが調節されるべきであるか否かを判定することと、
前記レートマッピングが調節されるべきであれば、前記レートマッピングを調節することと、をさらに備えるＣ１に記載の方法。
［Ｃ８］
前記レートマッピングを調節することは、前記レートマッピングで指定される時間境界値を調節することを備え、前記レートマッピングは、時間境界値を備えるレートマッピング関数である、Ｃ７に記載の方法。
［Ｃ９］
予め定められた時間間隔後、前記レートマッピングが更新されるべきであるか否かを判定することをさらに備える、Ｃ８に記載の方法。
［Ｃ１０］
チャネル状態に基づいて適合される時間間隔後、前記レートマッピングが更新されるべきであるか否かを判定することをさらに備える、Ｃ８に記載の方法。
［Ｃ１１］
マルチユーザワイヤレス通信システムにおいてレート適合を提供するためのコンピュータ実行可能な命令を記憶した非一時的なコンピュータ読取可能な媒体であって、前記命令は、プロセッサによって実行された場合、前記プロセッサに対して、
複数の送信モードからの第１の送信モードの変調およびコーディングスキーム（ＭＣＳ）を用いてマスタ送信レートを決定することと、
マスタ送信レートおよびレートマッピングを用いて、前記複数の送信モードから、各送信モードのＭＣＳを導出することと、
前記マスタ送信レートが更新されるべきであるか否かを判定することと、を備える処理を実行させる、非一時的なコンピュータ読取可能な媒体。
［Ｃ１２］
前記第１の送信モードは、シングルユーザビームフォーミング（ＳＵ−ＢＦ）送信モードであり、前記複数の送信モードは、マルチユーザ複数入力複数出力（ＭＵ−ＭＩＭＯ）を備える、Ｃ１１に記載のコンピュータ読取可能な媒体。
［Ｃ１３］
前記レートマッピングは関数であり、前記関数は、
【数３】
2016508305.tif 000002
であり、ここにおいてｍｏｄｅは送信モードであり、ｄは直近のチャネル状態情報（ＣＳＩ）の期間であり、Ｔ１〜Ｔ７は前記期間ｄの境界値であり、これらの値は、Ｔ１＝Ｔ２＝Ｔ４＝５ミリ秒、Ｔ３＝Ｔ６＝１５ミリ秒、およびＴ５＝Ｔ７＝１０ミリ秒である、Ｃ１２に記載のコンピュータ読取可能な媒体。
［Ｃ１４］
前記マスタ送信レートが更新されるべきであるか否かを判定することは、前記マスタ送信レートの誤り率を決定することを備える、Ｃ１１に記載のコンピュータ読取可能な媒体。
［Ｃ１５］
前記誤り率が、指定されたしきい値よりも高いのであれば、前記マスタ送信レートを下げることをさらに備える、Ｃ１４に記載のコンピュータ読取可能な媒体。
［Ｃ１６］
前記誤り率は、パケット誤り率およびチャネル誤り率の何れかである、Ｃ１５に記載のコンピュータ読取可能な媒体。
［Ｃ１７］
前記レートマッピングが調節されるべきであるか否かを判定することと、
前記レートマッピングが調節されるべきであれば、前記レートマッピングを調節することと、をさらに備える、Ｃ１１に記載のコンピュータ読取可能な媒体。
［Ｃ１８］
前記レートマッピングを調節することは、前記レートマッピングで指定される時間境界値を調節することを備え、前記レートマッピングは、時間境界値を備えるレートマッピング関数である、Ｃ１７に記載のコンピュータ読取可能な媒体。
［Ｃ１９］
予め定められた時間間隔後、前記レートマッピングが更新されるべきであるか否かを判定することをさらに備える、Ｃ１８に記載のコンピュータ読取可能な媒体。
［Ｃ２０］
チャネル状態に基づいて適合される時間間隔後、前記レートマッピングが更新されるべきであるか否かを判定することをさらに備える、Ｃ１８に記載のコンピュータ読取可能な媒体。
［Ｃ２１］
マルチユーザワイヤレス通信システムにおいてレート適合を提供するためのサブシステムであって、
シングルユーザビームフォーミングモードのための変調およびコーディングスキーム（ＭＣＳ）であるマスタレートを決定するための手段と、
レートマッピング関数を用いて、前記マスタレートから、各送信モードのＭＣＳを導出するための手段と、
前記マスタレートを追跡するための手段と、を備えるサブシステム。
［Ｃ２２］
レート適合を含むマルチユーザワイヤレス通信システムであって、
シングルユーザビームフォーミング（ＳＵ−ＢＦ）動作モードおよびマルチユーザ複数入力複数出力（ＭＵ−ＭＩＭＯ）動作モードを含むワイヤレス通信システムと、
前記ワイヤレス通信システムのための変調およびコーディングスキーム（ＭＣＳ）を選択するためのレート適合手段とを備え、前記レート適合手段はさらに、
シングルユーザビームフォーミングモードのための変調およびコーディングスキーム（ＭＣＳ）であるマスタレートを決定するための手段と、
レートマッピング関数を用いて、前記マスタレートから、各送信モードのＭＣＳを導出するための手段と、
前記マスタレートを追跡するための手段とを備える、マルチユーザワイヤレス通信システム。
［Ｃ２３］
前記レートマッピング関数は、
【数４】
2016508305.tif 000003
であり、ここにおいてｍｏｄｅは送信モードであり、ｄは直近のチャネル状態情報（ＣＳＩ）の期間であり、Ｔ１〜Ｔ７は前記期間ｄの境界値であり、これらの値は、Ｔ１＝Ｔ２＝Ｔ４＝５ミリ秒、Ｔ３＝Ｔ６＝１５ミリ秒、およびＴ５＝Ｔ７＝１０ミリ秒である、Ｃ２２に記載のワイヤレス通信システム。
［Ｃ２４］
前記追跡手段はさらに、
現在のマスタレートＭを導出するために、前記レートマッピング関数の逆関数ｆ’を用いるための手段と、
現在の誤り率を決定するためのサウンディングのための手段と、
前記現在の誤り率が、第２の予め定められた量未満である場合、Ｍの値を、第１の予め定められた量増加させること、および、
前記現在の誤り率が、前記第２の予め定められた量を超える場合、Ｍの値を、前記第１の予め定められた量減少させることによって、Ｍの値を調節するための手段とを備える、Ｃ２２に記載のワイヤレス通信システム。
［Ｃ２５］
前記誤り率は、チャネル誤り率およびパケット誤り率の何れかである、Ｃ２４に記載のワイヤレス通信システム。
［Ｃ２６］
前記レート適合手段は、マッピング較正を定期的に実行する、Ｃ２２に記載のワイヤレス通信システム。
［Ｃ２７］
マッピング較正はさらに、前記レートマッピング関数で指定された時間境界値を調節することを備える、Ｃ２６に記載のワイヤレス通信システム。
［Ｃ２８］
マッピング較正は、予め定められた時間間隔で実行される、Ｃ２６に記載のワイヤレス通信システム。
［Ｃ２９］
マッピング較正は、チャネル状態に基づいて動的に適合される時間間隔で実行される、Ｃ２６に記載のワイヤレス通信システム。